(57)【要約】【課題】  宣伝広告等を行うミニ幟を構成するための表示シートの端部挟着支持具であって、支持杆に対する表示シートの取付けがワンタッチで正確に行えると共に取付け後においては表示シートの引き抜き抵抗が増大して強固な取り付けを可能にしているにもかかわらず、交換時等における取り外し作業が迅速且つ円滑に行えるようにする。【解決手段】  内部を中空に形成している支持杆１の前面に全長に亘って該中空部に連通した表示シート差込口４を設けていると共に上記中空部内に、先端に行くに従って後方に傾斜している左右一対の弾性挟持片2c、2cを設けてなる挟持具本体２を配設して表示シート10の端部を差込口４から中空部内に差し込むことによって上記左右の弾性挟持片2c、2cに挟着させ、表示シート10を支持杆１の長さ方向に移動させることにより支持杆１の上端から上方に引き抜き可能に構成している。【選択図】    図２
2009139864.tif 000002
【特許請求の範囲】
【請求項１】
内部に上下端部間に亘って中空部を設けていると共に前面に該中空部の全長に亘って連通した縦長表示シートの端部差込口を設けてなる支持杆と、この支持杆の上記中空部内に配設した挟持具本体とからなり、挟持具本体は、支持杆の上記中空部の両側内壁面に沿って配設された左右固定側壁板の対向面からこれらの対向面間の中間部に向かって斜め後方に傾斜した正面縦長帯状の左右一対の弾性挟持片を数対、最前部の左右弾性挟持片を上記表示シート差込口に臨ませた状態にしてそれぞれ前後方向うに小間隔毎を存して突設してなり、さらに、上記支持杆に設けている中空部と表示シート差込口との上端部を支持杆の上端から上方に開口した表示シート引出口に形成したことを特徴とする表示シートの端部挟着支持具。
【請求項２】
支持杆の中空部における上部と下部とに一定長さの挟持具本体を内装していると共に、上側挟持具本体の下端と下側挟持具本体の上端との間の中空部から前方に開口した差込口を、上下挟持具本体にそれぞれ上下表示シートの端部を挟着させた場合における下側表示シートの差込口兼引出口に形成していることを特徴とする請求項１に記載の表示シートの端部挟着支持具。
【請求項３】
支持杆の中空部に上下方向に一定間隔毎に複数の挟持具本体を内装していることを特徴とする請求項１に記載の表示シートの端部挟着支持具。
【請求項４】
支持杆の下端部を表示シート差込口が設けられていない小径の取付軸端部に形成していると共に表示シート差込口の下端を、表示シートの端部下端面を受止する受止端面に形成していることを特徴とする請求項１、請求項２又は請求項３に記載の表示シートの端部挟着支持具。
【発明の詳細な説明】
【技術分野】
【０００１】
本発明は主として、多数のパチンコ台を設置している遊技場の店内や各種商品を販売するマーケット等において、宣伝広告などを行う表示シートを着脱自在に装着して、所謂、ミニ幟として使用可能にする表示シートの端部挟着支持具に関するものである。
【背景技術】
【０００２】
従来から、宣伝広告文や図柄等を表示したシートを棒状の支持杆に着脱自在に装着して、ミニ幟として使用するように構成した表示手段としては、例えば、特許文献１に記載されているように、棒状体又は筒状体を縦方向に二分割してなる一定長さを有する左右一対の杆体を腹合せ状に接合して一端部同士を互いに開閉自在に枢着し、開口する側の対向端面に弾性挟持層を設けてなる支持杆と、この支持杆の適所を締め付ける複数個の締付片とからなり、左右の杆体を枢着部を中心として開いてその開口部に表示シートの端部を差し込んだのち閉じることによって左右の弾性挟持層で挟着させ、この状態にして締付片を支持杆の適所の外周面に被嵌させることにより左右の杆体を閉止状態に保持するように構成してなる構造のものが知られている。
【０００３】
また、特許文献２に記載されているように、棒状の支持杆の数箇所に、対向面間にスリット部を設けている左右一対の挟持片からなる挟持部材を前方に向かって突設し、これらの挟持部材のスリット部に表示シートの端部を差し込むことにより、一方の挟持片に固着している弾性部材と他方の挟持片との対向面で該端部を挟持させるように構成したミニ幟も採用されている。
【０００４】
【特許文献１】実用新案登録第３１２４３８１号公報
【特許文献２】特開２００６−１１９１６１号公報
【発明の開示】
【発明が解決しようとする課題】
【０００５】
しかしながら、前者の表示シートの端部挟持構造によれば、表示シートを交換したい場合には、まず、支持杆から締付片を取り外して支持杆を構成している左右の杆体による表示シートの端部の挟持を解いたのち、左右の杆体を開いて表示シートを取り外し、次いで、新たな表示シートの端部を左右の杆体の対向面間に差し込んだのち閉じることによって対向面に層着している弾性挟持層で挟持させ、この状態にして締付片を支持杆の適所の外周面に被嵌させることにより左右の杆体を閉止状態に保持するといった煩雑な作業を行う必要があり、表示シートの交換に著しい手間を要することになって、短時間で多数の表示シートの交換を行わなければならないパチンコ店などの遊技場において採用するには不適当である。
【０００６】
さらに、表示シートは通常、縦長長方形状に形成されていてその長辺側の一端部を支持杆の長さ方向に沿わせて上述したように該支持杆の左右の杆体に挟着させることよりミニ幟として使用しているが、より効果的な宣伝広告を行う目的で、横長長方形状に形成された表示シートを二枚、上下に並列状態にしてこの支持杆の左右の杆体に挟着させた場合においては、いずれか一方の表示シートを交換しようとしても、上記縦長長方形状の表示シートの交換作業と同様に、一旦、左右の杆体を開いて、二枚の表示シートの挟持を開き、しかるのち、一方の表示シートを新たな表示シートと交換して他方の表示シートと共に再び、左右の杆体によって挟着させる作業を必要とするといった問題点がある。
【０００７】
これに対して後者の表示シートの端部挟持構造によれば、支持杆の数箇所に突設している挟持部材を構成した左右一対の挟持片の対向面間のスリットに表示シートの端部を差し込むだけで、表示シートの取付けが行え、また、表示シートの交換時には表示シートを弾性部材との摩擦抵抗力に抗してスリットから引き抜く作業と新たな表示シートをスリットに差し込む作業とを行うだけで、一対の挟持片を開放させることなく簡単に行えるという利点を有するが、表示中に悪戯等によって表示シートを引っ張ったりした場合には、表示シートの端部が一対の挟持片間のスリットから簡単に引き抜かれる虞れがある。
【０００８】
さらに、表示シートの端部を支持杆の長さ方向に間隔を存して突設している隣接する挟持部材に差し込んだ際に、これらの挟持部材間における外部に露出している表示シート部分が弛んだ状態となる場合が生じて外観を存する虞れがあり、また、上述したように、横長長方形状に形成された表示シートを二枚、上下に並列状態にして支持杆に突設している上記挟持部材によってその端部を挟持させるには、４個以上の挟持部材を突設しておく必要があり、構造が複雑化するといった問題点があった。
【０００９】
本発明はこのような問題点に鑑みてなされたもので、その目的とするところは、支持杆に対する表示シートの取付けや交換作業がワンタッチで迅速且つ確実に行えるばかりでなく、表示シートを緊張した形態を維持させた状態でその端部を挟着することができ、その上、挟着した状態においては支持杆からの表示シートの引抜き抵抗を大きくして容易に抜き取られる虞れもなく、また、支持杆に表示シートを二枚又はそれ以上、上下に並列した状態で装着することができると共にこれらの表示シートを単独的に簡単に交換可能にすることができる表示シートの端部挟着支持具を提供するにある。
【課題を解決するための手段】
【００１０】
上記目的を達成するために、本発明の表示シートの端部挟着支持具は、請求項１に記載したように、内部に上下端部間に亘って中空部を設けていると共に前面に該中空部の全長に亘って連通した縦長表示シートの端部差込口を設けてなる支持杆と、この支持杆の上記中空部内に配設した挟持具本体とからなり、挟持具本体は、支持杆の上記中空部の両側内壁面に沿って配設された左右固定側壁板の対向面からこれらの対向面間の中間部に向かって斜め後方に傾斜した正面縦長帯状の左右一対の弾性挟持片を数対、最前部の左右弾性挟持片を上記表示シート差込口に臨ませた状態にしてそれぞれ前後方向うに小間隔毎を存して突設してなり、さらに、上記支持杆に設けている中空部と表示シート差込口との上端部を支持杆の上端から上方に開口した表示シート引出口に形成してなる構造としている。
【００１１】
このように構成した表示シートの端部挟着支持具において、請求項２に係る発明は、支持杆の中空部における上部と下部とに一定長さの挟持具本体を内装していると共に、上側挟持具本体の下端と下側挟持具本体の上端との間の中空部から前方に開口した差込口を、上下挟持具本体にそれぞれ上下表示シートの端部を挟着させた場合における下側表示シートの差込口兼引出口に形成していることを特徴とする。
【００１２】
さらに、請求項３に係る発明は、支持杆の中空部に上下方向に一定間隔毎に複数の挟持具本体を内装していることを特徴とし、請求項４に係る発明は、棒状の支持杆の下端部を表示シート差込口が設けられていない小径の取付軸端部に形成していると共に表示シート差込口の下端を、表示シートの端部下端面を受止する受止端面に形成していることを特徴とする。
【発明の効果】
【００１３】
請求項１に係る発明によれば、内部に上下端部間に亘って中空部を設けていると共に前面に該中空部の全長に亘って連通した一定幅を有する縦長の表示シート差込口を設けてなる支持杆の上記中空部内に挟持具本体を配設しているので、支持杆の正面に開口している縦長の表示シート差込口に表示シートの端部を差し込むことにより、この差込口に臨ませている挟持具本体に該端部を簡単に挟持させることができるのは勿論、この挟持具本体は、支持杆の上記差込口の両側端後方部に配設された左右固定側壁板の対向面からこれらの対向面間の中間部に向かって斜め後方に傾斜した正面縦長帯状の左右一対の弾性挟持片を数対、最前部の左右弾性挟持片を上記表示シート差込口に臨ませた状態にしてそれぞれ後方に向かって小間隔毎に突設してなるものであるから、表示シートの端部差し込み時には、左右の弾性挟持片の後方への傾斜面に表示シートの端面が当接してこの傾斜面により該端面を全長に亘って真っ直ぐに矯正しながら表示シートを全面的に緊張させた状態にして正確に差し込むことができる。
【００１４】
さらに、支持杆の中空部内で後方に向かって順次、配設している数対の左右弾性挟持片が表示シートの差し込み力によってその対向する先端部間を順次左右に押し拡げられながら表示シートの端部を通過させて表示シートの差し込みを円滑に行わせることができ、その上、差し込み後においては左右の弾性挟持片の先端部によって該表示シートの端部の表裏面を確実に挟持させることができると共に、この挟持状態においては、左右の弾性挟持片は後方に向かって傾斜しているので、表示シートの前方への引抜力に対してこれらの左右弾性挟持片が左右の固定側壁板を支点として表示シートの表裏面を一層強固に圧着する方向に弾性的に変動して挟持力が一層増大し、大きな引き抜き抵抗力を発揮することができる。
【００１５】
また、支持杆に設けている上記中空部と表示シート差込口との上端部を支持杆の上端から上方に開口した表示シート引出口に形成しているので、表示シートを差込口に沿って上方に移動させることにより、左右の弾性挟持片の挟持力を増大させることなく、これらの弾性挟持片の先端面にその端部の表裏面を相対的に摺動させながら、表示シート引出口から素早く簡単に抜き取ることができ、従って、表示シートの交換作業も迅速に能率よく且つ正確に行うことができる。
【００１６】
請求項２に係る発明によれば、上記支持杆の中空部における上部と下部とに一定長さの挟持具本体を内装していると共に上側挟持具本体の下端と下側挟持具本体の上端との間の中空部から前方に開口した差込口を、上下挟持具本体にそれぞれ上下表示シートの端部を挟着させた場合における下側表示シートの差込口兼引出口に形成しているので、横長長方形状等に形成された表示シートを二枚、上下に並列状態にして、支持杆に取付ける場合、これらの表示シートを単独的に支持杆の前面に設けている差込口にその端部を差し込むことによって上記上側挟持具本体の左右の弾性挟持片と下側挟持具本体の左右の弾性挟持片とにそれぞれその端部を簡単且つ確実に挟着させることができると共に、上側の表示シートは上述したように表示シートの差込口に沿って上方に引き上げることによって表示シート引出口から簡単に抜き取ることができる一方、下側の表示シートは差込口に沿って上方に移動させてその上部を上記差込口兼引出口内に位置させると、この差込口兼引出口には挟持具本体は設けられていないので、挟持力が開放されてこの位置から前方に向かって斜め上方に引き出すことにより、簡単に抜き取ることができる。
【００１７】
従って、上下いずれの表示シートも、単独的に交換することができ、多数の表示シートの取り替えが短時間で能率よく行うことができる。その上、上下表示シートをそれぞれ挟着する上下挟持具本体は、差込口兼引出口を介して分断されているので、上下いずれか一方の表示シートを交換する際には、他方の表示シートを挟着している挟持具本体における弾性挟持片は何ら作動することはなく、該表示シートを強固に挟着させておくことができる。なお、このように支持杆の中空部内に配設している上下挟持具本体によって、一枚の縦長長方形状等の表示シートの端部を強固に且つ上方に向かって引き抜き可能に挟着させることができるのは勿論である。
【００１８】
また、請求項３に係る発明によれば、支持杆の中空部に上下方向に一定間隔毎に複数の挟持具本体を内装しているので、これらの挟持具本体によって一枚の表示シートの端部を着脱可能に挟着させることができるのは勿論、複数枚の表示シートをそれぞれ挟持具本体に挟着させることができて、雅趣に富んだ広告等の表示が可能になると共に、上下に隣接する挟持具本体間の中空部から前方に開口した差込口をこの差込口の上方または下方の挟持具本体に挟着させた表示シートの差込口兼引出口に使用することができ、この差込口兼引出口を通じて上記同様に表示シートの交換も単独的に行うことができる。
【００１９】
請求項４に係る発明によれば、支持杆の下端部を表示シート差込口が設けられていない小径の取付軸端部に形成していると共に表示シート差込口の下端を、表示シートの端部下端面を受止する受止端面に形成しているので、大版サイズの表示シートであっても、その下端面をこの受止端面に受止させることによって正確な位置に取付けることができ、又、上記小径の取付軸端部を支持孔等に差し込むことによって体裁のよい表示が可能となるものである。
【発明を実施するための最良の形態】
【００２０】
次に、本発明を具体的な実施例を図面について説明すると、図１は表示シートの端部挟着支持具の一部を切除した簡略斜視図、図２はその分解斜視図、図３は簡略縦断側面図、図４は拡大横断面図であって、端部支持具は硬質合成樹脂よりなる棒状の支持杆１と、この支持杆１内に配設されている挟持具本体２とからなり、支持杆１は、内部に上下端部間に亘って上下方向に長い正面縦長長方形状の中空部３を設けていてこの中空部３内に上記挟持具本体２を装着していると共に前面に該中空部３の全長亘って連通した一定幅を有する正面縦長長方形状の表示シート差込口４を設けている。この差込口４の幅は中空部３の幅と同等ないしは僅かに小幅に形成されている。
【００２１】
中空部３は全長に亘ってその横断面を同大、同形に形成してその内部に一本の細長い上記挟持具本体２を全長に亘って装着しておいてもよいが、この実施例においては、中空部３の上部と下部とを全長に亘って横断面矩形状の中空部３、3'に形成してこれらの上下中空部３、3'内にそれぞれ該中空部３と同一長さの上下挟持具本体２、2'を装着していると共に、上側の中空部３の下端と下側中空部3'の上端間の中空部は図５に示すように、これらの上下中空部３、3'と同一深さであるが幅は狭く、且つ、該中空部の開口端に連通している差込口部分の幅も狭くして挟持具本体２が設けられていない中空部に形成し、この中空部から前方に開口した差込口を、上記上下挟持具本体２、2'にそれぞれ上下表示シートの端部を挟着させた場合における下側表示シートの差込口兼引出口５に形成している。この差込口兼引出口５の長さは上記下側中空部3'の長さの１／２〜１／３程度の短い長さ寸法に形成している。なお、上側中空部３の長さと下側中空部3'との長さは同一長さに形成しておきてもよく、いずれか一方を他方よりもやや長く形成しておいてもよい。
【００２２】
さらに、支持杆１の上端部を上端に球状の頭部を有する先端部1aに形成しいると共に、この先端部1aの正面部に、下端が上記上側中空部３の上端に連通し、且つ、上端が頭部から上方に開口した表示シート引出口６に形成している。この表示シート引出口６は上記差込口兼引出口５と同様に、深さが中空部３と同一深さで且つ中空部３よりも幅狭く形成されている。
【００２３】
また、支持杆１における上記下側中空部3'を設けた下部の下端から下方に延出させている下端部を一定長さ毎に順次小径にして中間小径軸部1bとこの中間小径軸部1bよりも小径の取付軸端部1cとに形成して、中間小径軸部1bの正面部に深さが下側中空部3'の深さと同等ないしは僅かに浅い小幅の表示シート差込口4aを形成してあり、この表示シート差込口4aの上端を下側中空部3'に真っ直ぐに連通させていると共に下端を大判サイズ等の表示シートの後述する表示シート10の端部下端面を受止する受止端面７に形成している。
【００２４】
上記上下中空部３、3'内にそれぞれ配設している挟持具本体２、2'は、図２、図４に示すように、中空部３、3'の幅に等しい幅を有する縦長長方形状の基板2aの両側端に前方に向かって直角に屈折した左右固定側壁板2b、2bを一体に設けていると共に、これらの左右固定側壁板2b、2bの対向面に該固定側壁板2b、2bの前端（先端）から基端（後端）に向かって一定間隔毎に、数片の弾性挟持片2c、2cを突設して左右に対向する弾性挟持片2c、2cの先端部間で表示シート10の端部を挟着させるように構成してあり、このように構成した挟持具本体２、2'を上下中空部３、3'にそれぞれ基板2aが中空部の後端内面に、左右固定側壁板2b、2bが中空部の対向する内壁面に密着した状態となるように嵌め込むことによって配設している。
【００２５】
挟持具本体２、2'における上記基板2aと左右固定側壁板2b、2bとは硬質合成樹脂よりなる一方、弾性挟持片2cは軟質合成樹脂よりなり、固定側壁板2bから突出したこれらの弾性挟持片2cは、その突出幅を左右固定側壁板2b、2bの対向面間の幅よりも狭く且つ該幅の１／２よりも僅かに広い幅に形成していると共に長さを固定側壁板2bの長さに等しくした正面縦長帯状に形成されてあり、さらに、固定側壁板2bに一体に連設させている基端からこれらの左右固定側壁板2b、2bの対向面間の中間部に向かって斜め後方に傾斜した状態で固定側壁板2bから突設していると共に、左右に対向する弾性挟持片2c、2cを一対としてこれらの対の弾性挟持片2c、2cの先端を左右固定側壁板2b、2bの対向面間の中間部で互いに突き合わせ状に対向させるか、或いは、図４に示すように、前後に重ね合わせた状態としている。
【００２６】
そして、上下中空部３、3'内にそれぞれ配設したこれらの挟持具本体２、2'における前部の左右一対の弾性挟持片2c、2cをこれらの上下中空部３、3'の開口部である表示シート差込口４、4'に臨ませている。なお、左右一対の弾性挟持片2c、2cは、この実施例においては前後に一対宛設けているが、これ以上の複数対の弾性挟持片2c、2cを左右固定側壁板2b、2bから突設しておいてもよい。
【００２７】
このように構成した表示シートの端部挟着支持具に装着される表示シート10としては、合成樹脂製シートや紙、或いはこれらの複合シートからなり、その表裏面に宣伝広告等の文字や図柄等を印刷していると共に、長さ（縦幅）が図３、図６に示すように、支持杆１に設けている上側中空部３の上端と下側中空部3'の下端間の長さ寸法に略等しい縦長長方形状に形成されているが、この表示シート10の長さはこの長さ寸法に限定されることなくそれ以下の短い長さであってよく、また、表示シート引出口６や下端側の表示シート差込口4a内にまで達した長さであってもよい。さらには、縦長長方形状以外に、縦長であるが一端部は一直線状の長辺端部に形成され他端部はジグザグ状の端部等のように適宜な形状に形成しておいてもよい。
【００２８】
この表示シート10を上記端部挟着支持具に装着してミニ幟として使用するには、この表示シート10の長辺側の一端部を支持杆１の正面に開口している表示シート差込口４に差し込み、該表示シート10の一端部における上半部を上側中空部３内の挟持具本体２に、下半部を下側中空部3'内の挟持具本体2'に挟着させる。
【００２９】
この際、表示シート10の一端部を表示シート差込口４の全長に亘って対向させた状態にして支持杆１の長さ方向に対して直角方向に表示シート差込口４に向かって差し込むと、その端面が上下方向に面一状に配設されている上下挟持具本体２、2'における最前部の左右一対の弾性挟持片2c、2cのいずれかの傾斜面上に当接し、この傾斜面によって端部が全長に亘って真っ直ぐになるように矯正されながら該傾斜面上を後方に摺動移動し、左右一対の弾性挟持片2c、2cの先端部間を該表示シート10の一端部によって順次、押し拡げながら該一端部の端面が挟持具本体２、2'の基板2aの内壁面に当接するまで差し込む。
【００３０】
このように表示シート10の一端面が挟持具本体２、2'の基板2aの内壁面に当接すると、表示シート10は図７に示すように、その幅方向を支持杆１の長さ方向に対して直角方向に正確に向けた状態にして装着されると共に、挟持具本体２、2'の左右一対の全ての弾性挟持片2c、2cの先端面が表示シート10の表裏面にそれぞれ弾性復元力によって挟着した状態となる。なお、表示シート10が上側中空部３の上端から中間小径軸部1bに設けている上記表示シート差込口4a内に達する長さを有する大版サイズの場合には、その一端部下端面を上記表示シート差込口4aの下端に形成している受止端面７に当接、受止させることによって、全ての支持杆１に対する表示シート10の装着位置を同一位置にすることができ、体裁のよい広告表示が可能となる。
【００３１】
また表示シート10の一端部を挟着した挟持具本体２、2'の左右の弾性挟持片2c、2cは、左右固定側壁板2b、2bから後方に向かって傾斜しているので、表示シート10を前方に向かって引き抜こうとした場合、この表示シート10の表裏面とこれらの左右弾性挟持片2c、2cの先端面との摩擦力を介して左右弾性挟持片2c、2cが左右固定側壁板2b、2bを支点として表示シート10の表裏面に食い込もうとする方向に作動して挟着力が一層増大し、引き抜き抵抗力が大きくなって不測に引き抜かれるのを防止することができる。このように、支持杆１に表示シート10を装着してなるミニ幟は、配設すべき位置に設けられている支持孔等にその支持杆１の下端の小径取付端部1cを差し込むことによって広告等の表示を行う。
【００３２】
次に、表示シート10を交換する場合等において、この表示シート10を支持杆１から取り外すには、該表示シート10を、その一端面を挟持具本体２、2'の基板2aの内壁面に摺接させながら図８に示すように、この内壁面に沿って上方に移動させて上側中空部３の上端から上方に向かって一直線状に連通している支持杆１の正面上端部に設けた表示シート引出口６から上方に引き出すことによって行われる。この際、表示シート10の一端部は、その表裏面を左右の弾性挟持片2c、2cの先端面に摺接させながら弾性挟持片2c、2cの長さ方向に移動するので、左右の弾性挟持片2c、2cの挟持力を増大させることなく、表示シート引出口６から円滑に抜き取ることができる。
【００３３】
次に、上記端部挟着支持具の上下挟持具本体２、2'に、それぞれ横長長方形状の表示シート10’10' を図９に示すように、上下に並列した状態にして装着する場合について述べる。これらの表示シート10’，10' の一端部を上下挟持具本体２、2'にそれぞれ挟着させる作業は、上記縦長長方形状の表示シート10の取付作業と同じであって、例えば、表示シート10’を上側挟持具本体２に挟着支持させるには、その短辺側の一端部を上側挟持具本体２を内装している上側中空部３における表示シート差込口４から中空部３内に挿入し、左右の固定側壁板2b、2bの対向面から該対向面間の中間部に向かって突設している左右一対の弾性挟持片2c、2cの先端部間をその一端部によって順次、押し拡げながら該一端部の端面が挟持具本体２の基板2aの内壁面に当接するまで差し込めば、左右の弾性挟持片2c、2cの先端部によって表示シート10’の端部の表裏面を挟着させることができる。
【００３４】
下側挟持具本体2'の弾性挟持片2c、2cに下側表示シート10’の一端部を挟持させる作業も上記上側挟持具本体２に対する作業と同じであるので、詳細な説明を省略する。このように、支持杆１内の上下挟持具本体２、2'にそれぞれ上下表示シート10’、10' を取り付けたのち、いずれか一方、或いは、両方の表示シート10’、10' を交換する場合等において支持杆１から取り外すには、上側の表示シート10’に対しては、上記縦長長方形状の表示シート10の取り外し態様と同様に、その一端面を挟持具本体２の基板2aの内壁面に摺接させながらこの内壁面に沿って上方に移動させて支持杆１の正面上端部に設けている表示シート引出口６から上方に引き出すことによって行われる。
【００３５】
一方、下側の表示シート10’を下側挟持具本体2'から離脱させて支持杆１から取り外すには、この表示シート10’を上下中空部３、3'の表示シート差込口４、4'間に設けている差込口兼引出口５に向かって上方に移動させると、この差込口兼引出口５内に達する一端部はその上端側から下側挟持具本体2'の左右弾性挟持片2c、2cによる挟持力を解かれながら差込口兼引出口５内を上方に移動することになる。従って、表示シート10’の一端部を挟持する左右弾性挟持片2c、2cの挟持力が弱くなるので、この表示シート10’を下側挟持具本体2'の基板2aに沿って上方に移動させながら差込口兼引出口５の上端部内に達した一端部を前方に向かって図10に示すように斜め上方に引き出せば、下側挟持具本体2'から簡単に抜き取ることができる。
【００３６】
従って、上側の表示シート10’を単独的に交換することができるのは勿論、下側の表示シート10’もこの上側の表示シート10’を取り外すことなく単独的に交換することが可能となるものである。なお、下側の表示シート10’の取り外し作業はこの表示シート10’を上方に移動させて上記差込口兼引出口５側から引き出しているが、この表示シート10’を下側に移動させて下側中空部3'の下端に連通している小幅の表示シート差込口4aを利用することによっても引き出しを可能にすることもできる。同様に、上側の表示シート10’を上方に移動させて表示シート引出口６から上方に抜き取ることなく、下側に移動させて上記差込口兼引出口５を利用して取り外すことも可能である。
【００３７】
また、以上の実施例においては、支持杆１の長さ方向の中央部に挟持具本体が設けられていない差込口（差込口兼引出口５）を設け、この差込口を介してそれぞれ挟持具本体２、2'を内装している上側中空部３と下側中空部3'とを設けているが、図11に示すように、支持杆１に上記上下中空部３、3'よりも長さが短い複数個の中空部3'' 、3'' 、3'' ・・を上下方向に一定間隔毎に設けると共にこれらの中空部3'' に上記と同じ構造を有する挟持具本体2'' を内装し、さらに、上下に隣接する中空部3'' 、3'' 間に上下端がこれらの中空部3'' 、3'' に連通した差込口5'' を形成した構造としておいてもよい。4'' は各中空部3'' の前端開口部によって形成された表示シート差込口である。
【００３８】
このように構成した表示シートの端部挟着支持具によれば、支持杆１の中空部3'' 、3'' 、3'' ・・内に互いに直列状に設けている複数個の挟持具本体2'' によって、一枚の縦長長方形状の表示シート10の端部を着脱可能に挟着させることができるのは勿論、複数枚の横長長方形状の表示シート（図示せず）をそれぞれ挟持具本体2'' に挟着させ、且つ、その上下端側の上記差込口5'' を差込口兼引出口として使用して単独的な取り替えが可能となる。その他の構造については上記実施例と同様であるので、同一部分には同一符号を付して詳細な説明を省略する。
【００３９】
図12〜図15は、本発明のさらに別な実施例を示すもので、上記実施例においては挟持具本体を内装していない中空部を設けていると共に頭部1aや小径取付端部1cを形成した構造を有しているが、この実施例においては、全長に亘って中空部31とこの中空部31の前端開口部となる表示シート差込口41を設けた一定長さの支持杆11の該中空部31内に挟持具本体21を全長に亘って配設してなる構造としている。
【００４０】
具体的には、支持杆11は、縦長長方形状の固定板11a の両端部に前方に向かって緩やかな凸円弧状に湾曲した一定の前後幅を有する両側板部11b 、11b を一体に設けてこれらの両側板部11b 、11b と固定板11a とで囲まれた内部の空間を中空部31に形成していると共に上記両側板部11b 、11b の前端縁間を全長に亘って開口した一定幅を有する表示シート差込口41を形成してなるものであり、この支持杆11の中空部31内に該支持杆11と同一長さを有する一個の挟持具本体21を配設している。
【００４１】
この挟持具本体21は、支持杆11の上記固定板11a の内壁面（前面）に等しい幅を有し、且つ長さが支持杆11の長さに等しい一定厚みを有する縦長長方形状の基板21a と、この基板21a の前面中央部に上記表示シート差込口41と略等しい間隔を存し、且つ、高さ（前後方向の幅）が表示シート差込口41に達する左右固定側壁板21b 、21b を基板21a の全長に亘って前方に向かって突設してあり、この左右固定側壁板21b 、21b の対向面から上記実施例と同様に、これらの左右固定側壁板21b 、21b 間の中間部に向かって斜め後方に傾斜した正面縦長帯状の左右一対の弾性挟持片21c 、21c を複数対、最前部の左右弾性挟持片21c 、21c を上記表示シート差込口41に臨ませた状態にしてそれぞれ後方に向かって小間隔毎に突設してなる構造を有している。
【００４２】
また、支持杆11の両側板部11b 、11b の対向面後端部に、固定板11a から上記挟持具本体21の基板21a の厚みに等しい間隔を存して挟持突片11c 、11c を突設してあり、挟持具本体21を支持杆11の一方の開口端から支持杆11内に、その左右固定側壁板21b 、21b から外側方に突出した基板21a の両側端部を支持杆11の固定板11a と挟持突片11c 、11c 間に挿入することにより、支持杆11内に収納、配設している。
【００４３】
さらに、支持杆11の上下開口端に端面板11d 、11d を着脱自在に装着してあり、これらの端面板11d 、11d によって挟持具本体21が支持杆11から抜け出るのを防止していると共に、端面板11d 、11d には前端面中央部から下端近傍部に至る部分を切除して小幅の表示シート引出口61、61を形成している。
【００４４】
このように構成したので、表示シート10''の一端部を表示シート差込口41の前方に対向させてこの差込口41に挿入すると、上記実施例と同様に、その端面が挟持具本体21における最前部の左右一対の弾性挟持片21c 、21c のいずれかの傾斜面上に当接し、この傾斜面によって端部が全長に亘って真っ直ぐになるように矯正されると共に差込口41の幅方向の中央部に移動させられながらこれらの弾性挟持片21c 、21c を押し拡げ、さらに、後方側の左右一対の弾性挟持片21c 、21c をその一端部によって順次、押し拡げながら該一端部の端面が挟持具本体21の基板21a の内壁面に当接するまで差し込む。
【００４５】
このように表示シート10''の一端面が挟持具本体21の基板21a の内壁面に当接すると、表示シート10''はその幅方向を支持杆11の長さ方向に対して直角方向に正確に向けた状態に装着されると共に、挟持具本体21の左右一対の全ての弾性挟持片21c 、21c の先端面が表示シート10の表裏面にそれぞれ弾性復元力によって挟着した状態となる。この状態においては、上記実施例において述べたように、挟持具本体21の左右の弾性挟持片21c 、21cは、左右固定側壁板21b 、21b から後方に向かって傾斜しているので、表示シート10を前方に向かって引き抜こうとしても、弾性挟持片21c 、21c は表示シート10の表裏面に更に強固に圧着しようとする方向に作動して挟着力が一層増大し、引き抜き抵抗力が大きくなって不測に引き抜かれるのを防止することができる。
【００４６】
次に、表示シート10''を交換する場合等において、この表示シート10''を支持杆11から取り外すには、該表示シート10''を、その一端面を挟持具本体21の基板21a の内壁面に摺接させながらこの内壁面に沿って上方又は下方に移動させて端面板11d に設けている引出口61を通過させながら引き出すことによって簡単に行うことができる。なお、表示シート10''の縦幅は図に示すように支持杆11の長さよりも大きくてもその上下両端部を端面板11d 、11d に設けている引出口61、61からそれぞれ上下方向に突出させた状態にして挟持具本体21に挟着、支持させておくことができる。
【図面の簡単な説明】
【００４７】
【図１】本発明の表示シートの端部挟着支持具の一部を切除した簡略斜視図。
【図２】その分解斜視図。
【図３】簡略縦断側面図。
【図４】図３におけるＡ−Ａ線拡大横断面図。
【図５】同図におけるＢ−Ｂ線拡大横断面図。
【図６】表示シートを装着した状態の側面図。
【図７】その一部の拡大横断面図。
【図８】表示シートを引き出している状態の要部の簡略側面図。
【図９】横長長方形状の表示シートを上下に並列状に装着した状態の簡略側面図。
【図１０】下側の表示シートを取り出している状態の要部の側面図。
【図１１】複数個の弾性挟持片を設けた端部挟着支持具の簡略側面図。
【図１２】本発明の別な構造を有する端部挟着支持具の斜視図。
【図１３】その分解斜視図。
【図１４】表示シートを装着した状態の側面図。
【図１５】その一部の拡大横断面図。
【符号の説明】
【００４８】
１  支持杆
２  挟持具本体
2a  基板
2b、2b  左右固定側壁板
2c、2c  弾性挟持片
３  中空部
４  表示シート差込口
５  差込口兼引出口
６  表示シート引出口
10  表示シート
【図１】
2009139864.tif 000003
【図２】
2009139864.tif 000004
【図３】
2009139864.tif 000005
【図４】
2009139864.tif 000006
【図５】
2009139864.tif 000007
【図６】
2009139864.tif 000008
【図７】
2009139864.tif 000009
【図８】
2009139864.tif 000010
【図９】
2009139864.tif 000011
【図１０】
2009139864.tif 000012
【図１１】
2009139864.tif 000013
【図１２】
2009139864.tif 000014
【図１３】
2009139864.tif 000015
【図１４】
2009139864.tif 000016
【図１５】
2009139864.tif 000017